(57)【要約】      （修正有）【課題】耐久性があり、心地よく使用できる柔軟性があるマイナスイオン発生マットを提供する。【解決手段】和紙糸で製織した織物又は和紙糸で編んだ編物地を炭化した炭化物を織物地又は／及び編物地で表裏面を被覆して接着してなる炭化物シート２と、炭化物シート２に重ねた電極３と、電極３と重ねて固定した布製シート４と、電極３から布製シート４の外部に延伸されマイナスイオンコントローラボックス６の出力側に結合された電圧出力配線５と、コントローラボックスの入力側に結合された交流配線７と、交流配線７により給電された入力電圧を変換して入力電圧よりも低電圧を出力するコントローラボックス６と、を有するマイナスイオン発生マットである。【選択図】図１
0003145047.tif 000002
【実用新案登録請求の範囲】
【請求項１】
和紙糸で製織した織物又は和紙糸で編んだ編物地を炭化した炭化物を織物地又は及び編物地で表裏面を被覆して接着してなる炭化物シートと、
炭化物シートに重ねた電極と、
炭化物シートに重ねて炭化物シートの片面を覆い炭化物シートに固定した布製シートと、
電極から布製シートの外部に延伸されマイナスイオンコントローラボックスの出力側に結合された電圧出力配線と、
コントローラボックスの入力側に結合された交流配線と、
交流配線により給電された入力電圧を変換して入力電圧よりも低電圧を出力するコントローラボックスと、
を有することを特徴とするマイナスイオン発生マット。
【考案の詳細な説明】
【技術分野】
【０００１】
この考案はマイナスイオン発生マットに関する。
【背景技術】
【０００２】
特許文献１には銅線を分散配置した不織布をカバーで覆った敷具が提案されている。引用文献２には経糸と緯糸との両方に導電性を持つ糸が含まれている織布をカバーで覆ってなる敷具本体を有する敷具が示されている。引用文献３には和紙糸で製敷した炭化物及びその炭化物を織物地で表裏面を接着して被覆した炭化物のシート状製品が示されている。
【特許文献１】実用新案第３０７２１０３号
【特許文献２】特開２００２―３５５３１９
【特許文献３】特開２００３―３０６８５０
【考案の開示】
【考案が解決しようとする課題】
【０００３】
引用文献１に示される敷具では、銅線を分散配置しているため、敷布の柔軟性が保たれ難く敷具として座り心地がよくない。引用文献２では銅線を沿わせた糸でもって敷布としている。従って、製造にコストが高くつく。引用文献２の敷具では消臭のために木炭層を設けることを提案している。そして、上記引用文献１,２に記載の敷具は折りたたむと銅線が切れるおそれが高い。
【０００４】
細い銅線を用いているため、敷具として用いる際に誤って飲物等で汚すことも少しとしないので細い銅線のため腐食断線して敷具寿命が短くなる。
【０００５】
引用文献３ではすぐれた炭化物のシート状製品が示されているだけである。
【０００６】
この考案は引用文献３に示される炭化物のシート状製品を用いてマイナスイオンを発生すると共に消臭機能を有するマイナスイオン発生マットを提供することを目的とする。
【課題を解決するための手段】
【０００７】
本出願に係る考案は和紙糸で製織した織物又は和紙糸で編んだ編物地を炭化した炭化物を織物地又は及び編物地で表裏面を被覆して接着してなる炭化物シートと、
炭化物シートに重ねた電極と、
炭化物シートに重ねて炭化物シートの片面を覆い炭化物シートに固定した布製シートと、
電極から布製シートの外部に延伸されマイナスイオンコントローラボックスの出力側に結合された電圧出力配線と、
コントローラボックスの入力側に結合された交流配線と、
交流配線により給電された入力電圧を変換して入力電圧よりも低電圧を出力するコントローラボックスと、
を有することを特徴とするマイナスイオン発生マットである。
【考案の効果】
【０００８】
この考案によれば、マット状で織・編した組織であるから、形態の維持が可能である。又、炭化物を有するので酸化し難く耐久性がある。また、炭化物を有するのでマットとして用いる際織・編物地で炭化物を被覆したとしても通気性がよいので消臭に対してすぐれた性能を有する。又、織・編物地でシート状の炭化物を被覆してあるので、折曲及び取り付けがマットとして可能である。布製シートを用いるので快適な触感を得ることができる。
【０００９】
マット状であるので、マイナスイオン発生マット上で寝たり、座ったり、くつろぐ姿勢をとることで、マイナスイオンの効果を受けることができる。その効果は生体機能を改善させる。
【００１０】
発熱しないので安全性が高く耐久性がある。
【実施例】
【００１１】
以下、この考案の実施例を図面を用いて説明する。
【００１２】
図１はこの考案のマイナスイオン発生マット（以下マットという）の全体を示す斜視図、図２は図１の符号１で示す上記マットの主要部の縦断面図である。
【００１３】
（全体構成）
全体を符号１で示すマットは、方形の炭化物シート２と、炭化物シート２に重ねて炭化物シート２の１部に接触させた電極３と、炭化物シート２、電極３に重ねて炭化物シート２の片面を覆い炭化物シート２に固定した布製シート４と、電極３から布製シート４の外部に延伸されてマイナスイオンコントローラボックス６に到る出力配線５と、マイナスイオンコントローラボックス６と電源を結合するための入力配線７と、入力配線７から入力された電力を電圧変換してその出力端子に電圧を生じさせるマイナスイオンコントローラボックス（以下、コントローラと称する）６とを有する。
【００１４】
（炭化物シート）
炭化シート２は方形状をしている。図２に示すように炭化シート２は和紙糸で製織した織物又は和紙糸で編んだ編物地を炭化した炭化物２ａと、炭化物２ａの表裏面を被覆して接着した織物地又は編物地２ｂ，２ｃを有する。ここで、炭化物２ａと織物地又は編物地２ｂ，２ｃの接着は接着剤又は加熱溶融する繊維糸状又はテープ状の線材を絡ませた編物状の合成樹脂接着シートを炭化物２ａと織物地又は編物地２ｂ，２ｃとの間に挟持して併せて加熱接着する。上記、接着剤で接着する場合も、炭化物２ａ、織物地又は編物地２ｂ，２ｃの通気性を損なわないように、多数の個所で接着する。上記編物状の合成樹脂接着シートで接着すると、炭化物２ａ、織物地又は編物地２ｂ，２ｃの隙間はこの接着シートで埋まることは少ないので通気性は充分保ち得る。
【００１５】
図示されないが炭化物シート２は周縁を布で蔽ってその上からミシンで縫い込んでもよい。
【００１６】
（電極）
電極３は炭化物シート２に重ねて炭化物シート２の一部に接触させてある。炭化物シート２に対する電極３の重ね方、接触の仕方は図２に示されている。
【００１７】
炭化物２ａと織物地又は編物地２ｂとの間には電極３が挟持されている。電極３は銅箔であって炭化物２ａに接触している。
【００１８】
電極３にはロー付けで出力配線５の一端の芯線５ａが接続されている。上記芯線近くで出力配線５は出力配線５の被覆部分を接着剤を介して炭化物２ａと織物地又は編物地のシート２ｂの縁と固定されている。出力配線５の他端はコントローラ６の出力端子に接続されている。
【００１９】
（布製シート）
電極３を内蔵した炭化物シート２は布製シート４を重ねられ覆われている。布製シート４は方形である。布製シート４の４辺は縫綴されている。４ａはミシン目である。
【００２０】
布製シート４は炭化物シート２と大きさを一致させて炭化物シート２の片面に重ねて周辺をミシンで縫綴する。又は布製シート４は炭化物シート２より少しく大くしておいて炭化物シート２の片面に重ねて炭化物シート２よりはみ出した四辺を炭化物シート２の縁を回り込ませて包み込み、この状態で周辺をミシンで縫綴する。
【００２１】
布製シート４は木綿、化繊、毛等の織物又は編物で作られる。
【００２２】
布製シート４は織物地又は編物地で通気性のあるシートである。
【００２３】
本例では布製シート４は例えば長さ１１００ミリメートル、幅６００ミリメートルである。なお、炭化物シート２は布製シート４に丁度一致する程度の大きさである。従って布製シート４は電極３と織物地又は編物地２ｂを介して重なっている。
【００２４】
（マイナスイオンコントローラボックス）
入力配線７は商用電源と接続するためのコンセント７ａを一端に有し、他端がコントローラ６のスイッチ６ｂの入力端子に接続されている。スイッチ６ｂの出力端子はコントローラ６内の図示されない変圧器の一次側に連結されている。該変圧器の出力端子に出力配線５の一端が結合されている。
【００２５】
この変圧器は入力電圧１００ｖ、出力電圧４８ｖである。
【００２６】
（作用）
コンセント７ａを商用電源に結合した状態でコントローラ６のスイッチ６ｂをオンにすると、コントローラ６内の変圧器は付勢され、出力端子に電圧が発生する。出力端子の一つに出力配線５が結線されている。本例では該出力端子には（＋）４８ｖが発生している。この電圧はそのまま電極３に加わるので、炭化物２ａには同電圧が印加される。そこで炭化物２ａはマイナスイオンを発生する。
【００２７】
本例の炭化物シート４ではエコホリステイック社製のマイナスイオン測定器ＥＢ−１２Ａ（型式名）による試験結果、マイナスイオン数平均１５００個／ｃｃであった。
【００２８】
このように実施例のマットはマイナスイオンを発生するのであたかも転地療法による大気中のマイナスイオンの有効利用の一部と変らない効果を生ずる。
【００２９】
マイナスイオンの人体へ与える効果については次のようなものがあるとされているが、この実施例では上記のように多量のマイナスイオンが発生する。
・  ベーター・ドルフィンを活性化し精神を安定させ、呼吸器の機能を高める。  
・  身体が快調となり、慢性病をなおりやすくする。
・  生体組織をアルカリ性にして生理作用を活発にして、全体的に新陳代謝を活性化するので生体機能のバランスが良好となり、自然治癒力が有効的に発揮される。
・  酸性血液を中和し弱アルカリ性の血液に変える。
・  自律神経の調整作用がある。
・  腸肝免疫強化作用がある。
・  慢性関節リューマチについて鎮痛作用がある。
・  マイナスイオンは吸入系に対して集塵効果と空気の汚染原因の抗原を除去しアレルギーの予防をする。
・  自律神経を活性化し、気管支拡張を行い喘息発作を予防する。
（以上、堀口昇、山野井昇共著「マイナスイオンが医学を変える」健有館  １９９５年１１月１０日発行より）
実施例は和紙起源の炭化物を構成要素としている。木炭使用と木炭非使用の環境の実験結果によれば、蚊取線香を二本燃焼させたままの密閉状態での汚染経緯を測定している。設定した時間放置後の立方体内の空気を５分間の発泡による水溶液でＰＨ値を記録している。木炭使用時は非使用時に比較してＰＨ値はアルカリ性側にある。即ち、空気の酸性度が緩やかになっている。（上記「マイナスイオンが医学を変える」Ｐ１０２〜１０４）
実施例によればマイナスイオンの効果に炭化物による消臭効果が加わり人体の健康に良好な環境を提供できる。
【００３０】
この実施例によれば、炭化物を被覆して接着している織物地又は及び編物地は通気性がある。また、上記接着に用いる接着の構成も通気性がある。そして炭化物シートと電極を一括してこれらの片面を覆った布製シートが通気性がある。そこで、炭化物は常に空気にふれているので、このマットの周辺の消臭作用がある。仮に、布製シートが汚れても、臭うことはない。
【００３１】
炭化物は織物地又は及び編物地で被覆して接着されているため、曲げても、炭化物は破損することはない。
【図面の簡単な説明】
【００３２】
【図１】この考案の実施例の斜視図である。
【図２】この考案の実施例の縦断面図である。
【符号の説明】
【００３３】
１…マット  
２…炭化物シート  ２ａ…炭化物  ２ｂ，２ｃ…織物地又は編物地
３…電極
４…布製シート  ４ａ…ミシン目  
５…出力配線
６…マイナスイオンコントローラボックス  ６ｂ…スイッチ
７…入力配線  ７ａ…コンセント
【図１】
0003145047.tif 000003
【図２】
0003145047.tif 000004